(57)【要約】【課題】  ほぼ水平面、又は、若干の傾斜面を形成した透過型スクリーンに下から上に向けてプロジェクタから投光できるようにした透過型スクリーン投写装置を提供する。  また、あたかも机上面や立台上面に広げられた地図などを見るような視覚を与えることができるようにした透過型スクリーン投写装置を提供する。  さらに、構造簡単、軽量、小型で、安価につくと共に、携行又は格納に便利な透過型スクリーン投写装置を提供する。【解決手段】  透過型スクリーン板２０Ｃを、ほぼ水平面、又は、やや傾斜面に取りはずし可能に上方に載置できるようにした筒状の衝立板１０Ｃを備え、前記筒状の衝立板１０Ｃの底部に設置したプロジェクタ３０の投光を、前記透過型スクリーンの背面に受けて、その前面２１Ｃに映像を形成できるようにしたもの。【選択図】        図７
2006011223.tif 000002
【特許請求の範囲】
【請求項１】
透過型スクリーン板を、ほぼ水平面、又は、やや傾斜面に、取りはずし可能に上方に載置できるようにした筒状の衝立板を備え、前記筒状の衝立板の底部に設置したプロジェクタの投光を、前記透過型スクリーンの背面に受けて、その前面に映像を形成できるようにしたことを特徴とする透過型スクリーン投写装置。
【発明の詳細な説明】
【技術分野】
【０００１】
本発明は、透過型スクリーンの投写装置に関する。
【背景技術】
【０００２】
従来のプロジェクタは、すべて横向きに投光されて垂直面のスクリーンに投写されていた。しかし、プロジェクタからの投写距離（レンズ先端からスクリーンまでの距離）が、約１メートルから約１．５メートル程度で使用できるプロジェクタでは、スクリーンは、３０型（０．６メートル×０．５メートルサイズ）、４０型（０．８メートル×０．６メートルサイズ）の小型であっても、スクリーンの吊り下げ、又は、スクリーンの立設や、プロジェクタの置き場所等で、スクリーンの小型な割に広い面積が必要となる欠点があった。
そこで、本発明者は、プロジェクタを上向きに投光して、ほぼ水平、又は、多少傾斜させた透過型スクリーンに投光すれば、上記問題点を解決することを見出し、本発明を完成した。
【特許文献１】特開２０００−１３１７６６号公報
【特許文献２】特開平１１−１４２９７４号公報
【特許文献３】特開平１０−９７００１号公報
【特許文献４】特開平８−６９０５７号公報
【発明の開示】
【発明が解決しようとする課題】
【０００３】
本発明は、ほぼ水平面、又は、若干の傾斜面を形成した透過型スクリーンに投光できる透過型スクリーン投写装置を提供することにある。
また、本発明は、あたかも机上面や立台上面に広げられた地図などを見るような視覚を与えることができる透過型スクリーン投写装置を提供することにある。
さらに、本発明は、構造簡単、軽量、小型で、安価につくと共に、携行又は格納に便利な透過型スクリーン投写装置を提供することにある。
【課題を解決するための手段】
【０００４】
本発明透過型スクリーン投写装置は、上記課題を達成するため、図示するように、透過型スクリーン板を、ほぼ水平面、又は、やや傾斜面に取りはずし可能に上方に載置できるようにした筒状の衝立板を備え、前記筒状の衝立板の底部に設置したプロジェクタの投光を、前記透過型スクリーンの背面に受けて、その前面に映像を形成できるようにしたものである。
本発明において、透過型スクリーン板は、硬質、又は、半硬質の透明着色、又は、透明無着色の合成樹脂板（以下、単に合成樹脂板という。）にフィルム状の透過型スクリーンを挟着又は貼着したもののほか、合成樹脂板自体に白色印刷、アルミニウムハーフ蒸着、金属粉コーティング、シリカ、ビーズ等のマット加工、サンドブラストによる粗面加工、押出成型等による表面微細凹凸面加工等によるものが使用できる。
筒状衝立板は、厚紙板、段ボール板のほか合成樹脂板、木板等が使用でき、筒状に形成するためには、衝立板同士の折目又は継目を、折曲げ、組み込み、テープ貼り等により行われる。
【発明の効果】
【０００５】
本発明透過型スクリーン投写装置は、筒状衝立板を、机、又は、立ちスタンド台程度の高さに、透過型スクリーンを、ほぼ水平、又は、やや傾斜させて載置すれば、足元のプロジェクタの操作によって、鮮明な映像が視覚範囲にはいってくるので、場所をとらずに、スクリーンの映像を見ることができ、また、映像の上にプロットや筆写等ができる利点がある。
また、本発明装置は、構造簡単、軽量、小型、折畳容易で携行・格納に便利かつ安価に製作できる大きな利点がある。
【発明を実施するための最良の形態】
【０００６】
本発明透過型スクリーン投写装置は、段ボール板、硬質合成樹脂製の透過型スクリーンを備える。
【実施例１】
【０００７】
本発明透過型スクリーン投写装置の実施例１が、図１乃至図４に示されている。
本発明実施例の透過型スクリーン投写装置は、段ボール製筒状衝立板１０と、硬質アクリル系合成樹脂製スクリーン板２０とを備えている。
筒状衝立板１０は、板１１、１２、１３及び１４の折曲げにより４角筒状に形成され、板１３及び１４は、上部に投光通路用の切欠き１３０、１４０を設けると共に、板１１、１２、１３及び１４はスクリーン板２０が差し込める差込溝１１１、１１２、１２１、１２２、１３１及び１４１を設け、また、下部には適当箇所にプロジェクタ３０の操作穴兼通気穴１００を設けている。
従って、衝立板１０を４角筒状に折り曲げ、スクリーン板２０を差込溝１１１、１１２、１２１、１２２、１３１、１４１に差し込めば出来上り、スクリーン板２０の差込みにより衝立板１０の４角筒形が安定する。
プロジェクタ３０を衝立板１０内の底部において、スクリーン板２０の背面に投光すれば、スクリーン板２０の前面２１に鮮明な映像が得られる。
衝立板１０は、図４に示すように、折り畳んで携行又は格納できる。
【実施例２】
【０００８】
本発明透過型スクリーン投写装置の実施例２が、図５及び図６に示されている。
本発明実施例の透過型スクリーン投写装置は、段ボール製筒状衝立板１０Ｂと硬質アクリル系合成樹脂製スクリーン板２０Ｂとを備えている。
筒状衝立板１０Ｂは、板１１Ｂ、１２Ｂ、１３Ｂ及び１４Ｂの折曲げにより４角筒状に形成され、各板１１Ｂ、１２Ｂ、１３Ｂ、１４Ｂは各上部にスクリーン板２０Ｂが差し込める差込溝１１１Ｂ、１１２Ｂ、１２１Ｂ、１２２Ｂ、１３１Ｂ、１３２Ｂ及び１４１Ｂ、１４２Ｂを設け、また、下部には適当箇所にプロジェクタ３０の操作穴兼通気穴１００Ｂを設けている。
また、各板１１Ｂ、１２Ｂ、１３Ｂ、１４Ｂは、プロジェクタ３０の投光通路ができるようにした切欠き１１０Ｂ、１２０Ｂ、１３０Ｂ、１４０Ｂを設けている。
従って、衝立板１０Ｂを４角形状に折り曲げ、スクリーン板２０Ｂを差込溝１１１Ｂ、１１２Ｂ、１２１Ｂ、１２２Ｂ、１３１Ｂ、１３２Ｂ、１４１Ｂ、１４２Ｂに差し込めば出来上り、スクリーン板２０Ｂの差込みにより衝立板１０Ｂの４角筒形が安定する。
プロジェクタ３０を衝立板１０Ｂの底部において、スクリーン板２０Ｂの背面に投光すれば、スクリーン板２０Ｂの前面２１Ｂに鮮明な映像が得られる。
衝立板１０Ｂは、図６に示すように、折り畳んで携行又は格納できる。
【実施例３】
【０００９】
本発明透過型スクリーン投写装置の実施例３が、図７に示されている。
本発明実施例の透過型スクリーン投写装置は、段ボール製筒状衝立板１０Ｃと、硬質アクリル系合成樹脂製スクリーン板２０Ｃとを備えている。
筒状衝立板１０Ｃは、板１１Ｃ、１２Ｃ、１３Ｃ及び１４Ｃの折曲げにより４角形状に形成され、板１１Ｃ及び１３Ｃは、上部にスクリーン板２０Ｃが差し込める差込溝１１１Ｃ、１１２Ｃ及び１３１Ｃ、１３１Ｃを設け、また、下部には適当箇所にプロジェクタ３０の操作穴兼通気穴１００Ｃを設けている。
従って、衝立板１０Ｃを４角筒状に折り曲げ、スクリーン板２０Ｃを差込溝１１１Ｃ、１１２Ｃ、１３１Ｃ、１３２Ｃに差し込めば出来上り、スクリーン板２０Ｃの差込みにより衝立板１０Ｃの４角筒形が安定する。
プロジェクタ３０を衝立板１０Ｃの底部において、スクリーン板２０Ｃの背面に投光すれば、スクリーン板２０Ｃの前面２１Ｃに鮮明な映像が得られる。
【実施例４】
【００１０】
本発明透過型スクリーン投写装置の実施例４が、図８に示されている。
本発明実施例の透過型スクリーン投写装置は、段ボール製筒状衝立板１０Ｄと、硬質アクリル系合成樹脂製スクリーン板２０Ｄとを備えている。
筒状衝立板１０Ｄは、板１１Ｄ、１２Ｄ、１３Ｄ及び１４Ｄの折曲げにより４角筒状に形成され、板１１Ｄ及び１３Ｄは上部に切込み片１１１Ｄ、１１２Ｄ、１３１Ｄ、１３２Ｄを切り込んで、各切込み片１１１Ｄ、１１２Ｄ、１３１Ｄ、１３２Ｄにスクリーン板２０を載置できるように４角筒の内側にそれぞれ折り曲げ、また、上部又は下部には適当箇所にプロジェクタ３０の操作用兼通気穴１００Ｄを設けている。
従って、衝立板１０Ｄを４角筒状に折り曲げ、スクリーン板２０Ｄを折り曲げた切込み片１１１Ｄ、１１２Ｄ、１３１Ｄ、１３２Ｄの上に載置すれば出来上り、スクリーン板２０Ｄの差込みにより衝立板１０Ｄの４角筒が安定する。
プロジェクタ３０を衝立板１０Ｄの底部において、スクリーン板２０Ｄの背面に投光すれば、スクリーン板２０Ｄの前面２１Ｄに鮮明な映像が得られる。
【実施例５】
【００１１】
本発明透過型スクリーン投写装置の実施例５が、図９及び図１０に示されている。
本発明実施例の透過型スクリーン投写装置は、段ボール製筒状衝立板１０Ｅと硬質アクリル系合成樹脂製スクリーン板２０Ｅとを備えている。
筒状衝立板１０Ｅは、板１１Ｅ、１２Ｅ、１３Ｅ及び１４Ｅの折曲げにより４角筒状に形成され、各板１１Ｅ、１２Ｅ、１３Ｅ、１４Ｅは、内側に段ボール製板１１Ｆ、１２Ｆ、１３Ｆ、１４Ｆを重合して、スクリーン板２０Ｅを板１１Ｅ、１２Ｅ、１３Ｅ及び１４Ｅの上縁に載置できるようにしている。また、各板の上部及び下部には適当箇所にプロジェクタ３０の操作穴兼通気穴１００Ｅを設けている。
従って、衝立板１０Ｅを４角筒状に折り曲げ、スクリーン板２０Ｅを内側の重合板１１Ｆ、１２Ｆ、１３Ｆ、１４Ｆの各上縁に載置すれば出来上がり、スクリーン板２０Ｅの挿入により衝立板１０Ｅの４角筒が安定する。
プロジェクタ３０を衝立板１０Ｅの底部において、スクリーン板２０Ｅの背面に投光すれば、スクリーン板２０Ｅの前面２１Ｅに鮮明な映像が得られる。
【産業上の利用可能性】
【００１２】
本発明透過型スクリーン投写装置は、構造簡単で製作容易であり、量産できる。
【図面の簡単な説明】
【００１３】
【図１】本発明の実施例を示す斜視図である。
【図２】図１の別の斜視図である。
【図３】図２の断面説明図である。
【図４】図１の衝立板を折り畳むときの斜視図である。
【図５】本発明の別の実施例を示す斜視図である。
【図６】図５を折り畳むときの斜視図である。
【図７】本発明の別の実施例を示す斜視図である。
【図８】本発明の別の実施例を示す斜視図である。
【図９】本発明のさらに別の実施例を示す斜視図である。
【図１０】図９の断面説明図である。
【符号の説明】
【００１４】
１０、１０Ｂ、１０Ｃ、１０Ｄ、１０Ｅ、１０Ｆ    筒状衝立板
１１、１２、１３、１４、１１Ｂ、１２Ｂ、１３Ｂ、１４Ｂ、１１Ｃ、１２Ｃ、１３Ｃ、１４Ｃ、１１Ｄ、１２Ｄ、１３Ｄ、１４Ｄ、１１Ｅ、１２Ｅ、１３Ｅ、１４Ｅ、１１Ｆ、１２Ｆ、１３Ｆ、１４Ｆ    衝立板
２０、２０Ｂ、２０Ｃ、２０Ｄ、２０Ｅ、２０Ｆ    透過型スクリーン
２１、２１Ｂ、２１Ｃ、２１Ｄ、２１Ｅ、２１Ｆ    透過型スクリーン前面
３０    プロジェクタ
【図１】
2006011223.tif 000003
【図２】
2006011223.tif 000004
【図３】
2006011223.tif 000005
【図４】
2006011223.tif 000006
【図５】
2006011223.tif 000007
【図６】
2006011223.tif 000008
【図７】
2006011223.tif 000009
【図８】
2006011223.tif 000010
【図９】
2006011223.tif 000011
【図１０】
2006011223.tif 000012